【事件の表示】
　特願２０１３−１３６０３２「液滴吐出装置」拒絶査定不服審判事件〔平成２５年１１月２８日出願公開，特開２０１３−２３８８６９〕について，次のとおり審決する。
【結　論】
　本件審判の請求は，成り立たない。
【理　由】
第１　事案の概要
　１　手続の経緯
　本件出願は，平成２１年８月２６日に出願した特願２００９−１９５１８１号の一部を平成２５年６月２８日に新たな特許出願としたものであり，特願２００９−１９５１８１号は平成１８年１２月１８日に出願した特願２００６−３４０５８８号の一部を新たな特許出願としたものであり，特願２００６−３４０５８８号は，平成１６年１０月１日に出願した特願２００４−２８９９０５号の一部を新たな特許出願としたものである。そして，本件出願の手続の経緯は，概略，以下のとおりである。
平成２５年　７月２５日：手続補正書 
平成２６年　５月２８日：拒絶理由通知（同年６月３日発送） 
平成２６年　７月　７日：意見書 
平成２６年　７月　７日：手続補正書
平成２６年　９月２６日：拒絶査定（同年同月３０日送達） 
平成２６年１２月２５日：審判請求 
　２　本願発明
　本件出願の特許請求の範囲の請求項１に係る発明は，以下のものである（以下「本願発明」という。）。
「　基体と液滴吐出ヘッドとの少なくとも一方を位置変更し，前記基体に対して液状材料を吐出する液滴吐出装置であって，
　第１の方向に複数のノズルが配列され，第１色の液状材料を吐出する第１の液滴吐出ヘッドと，
　前記第１の方向に複数のノズルが配列され，前記第１色の液状材料を吐出する第２の液滴吐出ヘッドと，
　前記第１の方向に複数のノズルが配列され，第２色の液状材料を吐出する第３の液滴吐出ヘッドと，
　前記第１の方向に複数のノズルが配列され，第２色の液状材料を吐出する第４の液滴吐出ヘッドと，
を有し，
　一方向へ前記位置変更を行うとき，前記第１の方向と直交する第２の方向から見て，前記第１の液滴吐出ヘッドにて吐出される領域，前記第２の液滴吐出ヘッドにて吐出される領域，前記第３の液滴吐出ヘッドにて吐出される領域，および，前記第４の液滴吐出ヘッドにて吐出される領域が，重なる部分を有するように，前記第１の液滴吐出ヘッド，前記第２の液滴吐出ヘッド，前記第３の液滴吐出ヘッド，および，前記第４の液滴吐出ヘッドが配置され，
　前記第１の液滴吐出ヘッドおよび前記第２の液滴吐出ヘッドは，前記第２の方向から見て，前記第１の液滴吐出ヘッドの前記ノズルから吐出された液滴と前記第２の液滴吐出ヘッドの前記ノズルから吐出された液滴とが等間隔で吐出されるように配置され，
　前記第３の液滴吐出ヘッドおよび前記第４の液滴吐出ヘッドは，前記第２の方向から見て，前記第
３
４
　前記第１の液滴吐出ヘッドと前記第２の液滴吐出ヘッドとは，前記第２の方向から見て各前記液滴吐出ヘッドのノズル列の端部がずれて配置され，
　前記第３の液滴吐出ヘッドと前記第４の液滴吐出ヘッドとは，前記第２の方向から見て各前記液滴吐出ヘッドのノズル列の端部がずれて配置され，
　前記第２の方向から見て前記第１の液滴吐出ヘッドと前記第２の液滴吐出ヘッドとの重なる部分と，前記第３の液滴吐出ヘッドと前記第４の液滴吐出ヘッドとの重なる部分とは一致しないように配置されていることを特徴とする液滴吐出装置。」
　なお，請求項１には，「前記第３の液滴吐出ヘッド及び前記第４の液滴吐出ヘッドは，前記第２の方向から見て，前記第
１
２
　３　原査定の拒絶の理由
　原査定の拒絶の理由は，概略，本願発明は，特許法４４条２項の規定により本件出願に係る特許出願がされたとみなされる原出願（特願２００４−２８９９０５号）の出願前に日本国内又は外国において，頒布された特開２００２−２８６９２４号公報（以下，「引用例」という。）に記載された発明又は電気通信回線を通じて公衆に利用可能となった発明であるから，特許法２９条１項３号に該当し，特許を受けることができない，というものである。
第２　当審判体の判断
　１　引用例の記載及び引用発明
　(1)  引用例の記載
　引用例には，以下の事項が記載されている。なお，下線は当審が付したものである。
　ア「【請求項７】
　
基板とインクジェット式カラーヘッドを相対移動させ，カラーヘッドからフィルタ材インクを前記基板に対して発射してカラーフィルタを製造するカラーフィルタ製造装置であって
　前記カラーヘッドを，フィルタ色ごとにインクジェットノズルが直列に配列された複数のヘッドユニットを並列配置するとともに，各ヘッドユニットは，同色のフィルタ色ピッチ：ａの整数倍：Ｎの間隔（ａ・Ｎ）でインクジェットノズルが配列されており，このヘッドユニットをインクジェットノズルの配列方向にフィルタ色ピッチ：ａだけ位置をずらして並列配置して構成したカラーフィルタ製造装置。
　イ「【０００１】
　　【発明の属する技術分野】
　本発明は，カラー液晶パネルに使用されているカラーフィルタの製造方法に関するものである。
　ウ「【０００４】
　カラーフィルタ２ａには、Ｒ，Ｇ，Ｂのフィルタエレメントの配列によってストライプ配列とデルタ配列が存在し、染色法、顔料分散法、電着法、印刷法などの手法を用いて製造されているがこれらの方法は、共通してＲ，Ｇ，Ｂの３色を着色するために同一工程を３回繰り返す必要があり、製造工程が複雑である。
【０００５】
　そこで、ストライプ配列の製造については特開平８−２９２３１９号公報に見られるように、インクジェット方式を用いた優れた工法が提案されている。
　図２７と図２８はデルタ配列のカラーフィルタを示す。
【図２７】
【図２８】
【０００６】
　これは、
画素ピッチ：Ａで形成されるＲ，Ｇ，Ｂのフィルタエレメントは、奇数行も偶数行もフィルタ色ごとに同色のフィルタ色ピッチ：ａ（＝３・Ａ）で配列されているが、奇数行と偶数行とでは列が画素ピッチ：Ａの１．５倍だけずらせてデルタ配置に形成されている。
【０００７】
　そのため、デルタ配列のカラーフィルタでは、奇数行の端のフィルタエレメントの色と偶数行の端のフィルタエレメントの色とを異ならせることが必要であって、デルタ配列に適合するように前記ブラックマトリクス５が形成された基板のフィルタエレメントの位置に、ストライプ配列におけるインクジェット方式の技術を用いてフィルタ材インクを充填した場合には、奇数行と偶数行の端では前記ブラックマトリクスの上にフィルタ材インクが着弾して固化することになって、ＴＦＴアレイ基板１と張り合わせると前記液晶セルの厚みが行の中央と異なる状態となり、表示品質が劣化する問題がある。」
　エ「【０００８】
　　【発明が解決しようとする課題】
　本発明は
デルタ配列のカラーフィルタをインクジェット方式で製造するに適した
　オ「【００３８】
　　（実施の形態２）
　図６〜図８は本発明の（実施の形態２）を示す。
　この実施の形態は，ブラックマトリクスが形成された
基板を
２つのカラーヘッドの下方を
片道通過させて偶数／奇数行の１回描画でカラーフィルタを完成させる
【図１】
【００３９】
　なお，この（実施の形態２）以降の各実施の形態において，基板２は図１（ａ）に示すようにマザー基板６に多面取りされており，カラーヘッド７のホルダー１１へのヘッド群の取り付け構造，ならびにその取り付け構造に伴う前記マザー基板６の送り方向の所定距離のずれは，ヘッドブロックの発射時間を前記マザー基板６の送りに同期させることによって，ノズルが一定間隔で配列されたヘッドユニットとして扱うことができることは同じである。
【００４０】
　図６に示すように，
第１，第２のカラーヘッド１９ａ，１９ｂは，それぞれヘッドユニット１６，１７，１８で構成され
　
ヘッドユニット１６は，青色のフィルタ材インクを発射するインクジェットノズルが丸印で示すように基板２の画素ピッチがＡのときに３・Ａの間隔で直列に配置され
ヘッドユニット１７は，赤色のフィルタ材インクを発射するインクジェットノズルが丸印で示すように３・Ａの間隔で直列に配置され
ヘッドユニット１８は，緑色のフィルタ材インクを発射するインクジェットノズルが丸印で示すように３・Ａの間隔で直列に配置され
【図６】
【００４１】
　
第１のカラーヘッド１９ａは，偶数行のフィルタエレメントの配置に適合するようにヘッドユニット１６，１７，１８のインクジェットノズルが行方向に１画素ピッチだけ位置をずらして設けられ
【００４２】
　
第２のカラーヘッド１９ｂは，奇数行のフィルタエレメントの配置に適合するようにヘッドユニット１６，１７，１８のインクジェットノズルが行方向に１画素ピッチだけ位置をずらして設けられ
【００４３】
　また，
第１のカラーヘッド１９ａのヘッドユニット１６のインクジェットノズルと第２のカラーヘッド１９ｂのヘッドユニット１６のインクジェットノズルとは，行方向に画素ピッチの１．５倍だけ位置をずらして配置され
【００４４】
　この第１，第２のカラーヘッド１９ａ，１９ｂを用いて次のようにして図５に示すカラーフィルタが製造される。
　先ず，基板２がカラーヘッド１９の下をＦ１方向に通過して，第１のカラーヘッド１９ａのヘッドユニット１６の下方位置に基板２の第２行目Ｌ２が到着したタイミングに，ヘッドユニット１６のインクジェットノズルから青色のインクが発射されて図７（ａ）に示すように，ブラックマトリクス５で仕切られたフィルタエレメントの中に着弾する。
【図７】
【００４５】
　次に，第１のカラーヘッド１９ａのヘッドユニット１７の下方位置に基板２の第２行目Ｌ２が到着したタイミングに，ヘッドユニット１７のインクジェットノズルから赤色のインクが発射されて図７（ｂ）に示すように，図７（ａ）で着弾した青色フィルタエレメントの右隣に着弾する。
【００４６】
　第１のカラーヘッド１９ａのヘッドユニット１８の下方位置に基板２の第２行目Ｌ２が到着したタイミングに，ヘッドユニット１８のインクジェットノズルから緑色のインクが発射されて図７（ｃ）に示すように，図７（ｂ）で着弾した赤色フィルタエレメントの右隣に着弾する。
【００４７】
　同様に，第２のカラーヘッド１９ｂのヘッドユニット１６の下方位置に基板２の第１行目Ｌ１が到着したタイミングに，ヘッドユニット１６のインクジェットノズルから青色のインクが発射されて図８（ａ）に示すように，ブラックマトリクス５で仕切られたフィルタエレメントの中に着弾する。
【図８】
【００４８】
　次に，第２のカラーヘッド１９ｂのヘッドユニット１７の下方位置に基板２の第１行目Ｌ１が到着したタイミングに，ヘッドユニット１７のインクジェットノズルから赤色のインクが発射されて図８（ｂ）に示すように，図８（ａ）で着弾した青色フィルタエレメントの右隣に着弾する。
【００４９】
　第２のカラーヘッド１９ｂのヘッドユニット１８の下方位置に基板２の第１行目Ｌ１が到着したタイミングに，ヘッドユニット１８のインクジェットノズルから緑色のインクが発射されて図８（ｃ）に示すように，図７（ｂ）で着弾した青色フィルタエレメントの左隣に着弾する。
【００５０】
　このように偶数行に対する第１のカラーヘッド１９ａによるフィルタ材インクの発射と，奇数行に対する第２のカラーヘッド１９ｂによるフィルタ材インクの発射とが同時に進行して，往路だけの１パスでカラーフィルタが完成する。」
　カ「【図面の簡単な説明】
…
【図６】本発明の（実施の形態２）のカラーフィルタ製造方法を実現する
カラーフィルタ製造装置
…」
　(2) 引用発明
　これら記載内容からみて，引用例には，以下の発明が記載されている（以下「引用発明」という。なお，段落番号は，引用発明の認定に活用した引用例の記載箇所を示すために併記したものである。）。
「【請求項７】基板とインクジェット式カラーヘッドを相対移動させ，カラーヘッドからフィルタ材インクを基板に対して発射してカラーフィルタを製造するカラーフィルタ製造装置であって，
【００３８】基板を，２つのカラーヘッドの下方を片道通過させ，
【００４０】第１，第２のカラーヘッド１９ａ，１９ｂは，それぞれヘッドユニット１６，１７，１８で構成され，ヘッドユニット１６は，青色のフィルタ材インクを発射するインクジェットノズルが，基板の画素ピッチがＡのときに３・Ａの間隔で直列に配置され，ヘッドユニット１７は，赤色のフィルタ材インクを発射するインクジェットノズルが３・Ａの間隔で直列に配置され，ヘッドユニット１８は，緑色のフィルタ材インクを発射するインクジェットノズルが３・Ａの間隔で直列に配置され，
【００４１】第１のカラーヘッド１９ａは，偶数行のフィルタエレメントの配置に適合するようにヘッドユニット１６，１７，１８のインクジェットノズルが行方向に１画素ピッチだけ位置をずらして設けられ，
【００４２】第２のカラーヘッド１９ｂは，奇数行のフィルタエレメントの配置に適合するようにヘッドユニット１６，１７，１８のインクジェットノズルが行方向に１画素ピッチだけ位置をずらして設けられ，
【００４３】第１のカラーヘッド１９ａのヘッドユニット１６のインクジェットノズルと第２のカラーヘッド１９ｂのヘッドユニット１６のインクジェットノズルとは，行方向に画素ピッチの１．５倍だけ位置をずらして配置され，
【０００８】デルタ配列のカラーフィルタをインクジェット方式で製造するに適した，
【請求項７】カラーフィルタ製造装置。」
　２　対比及び判断
　(1) 対比
　本願発明と引用発明を対比すると，以下のとおりとなる。
　ア　液滴吐出装置について
　引用発明の「基板」，「インクジェット式カラーヘッド」，「フィルタ材インク」及び「発射」は，それぞれ，本願発明の「基体」，「液滴吐出ヘッド」，「液体材料」及び「吐出」に相当する。
　したがって，引用発明の「基板とインクジェット式カラーヘッドを相対移動させ，カラーヘッドからフィルタ材インクを基板に対して発射してカラーフィルタを製造するカラーフィルタ製造装置」は，本願発明の「基体と液体吐出ヘッドの少なくとも一方を位置変更し，前記基体に対して液状材料を吐出する液滴吐出装置」に相当する。
　イ　第１〜４の液滴吐出ヘッドについて
　引用発明の「行方向」，「インクジェットノズル」，「青色」，「赤色」及び「フィルタ材インク」は，本願発明の「第１の方向」，「ノズル」，「第１色」，「第２色」及び「液状材料」に相当する。
　また，引用発明において，第１のカラーヘッド１９ａに設けられた「ヘッドユニット１６」及び「ヘッドユニット１７」は，それぞれ本願発明の「第１の液滴吐出ヘッド」及び「第３の液滴吐出ヘッド」に相当し，第２のカラーヘッド１９ｂに設けられた「ヘッドユニット１６」及び「ヘッドユニット１７」は，それぞれ本願発明の「第２の液滴吐出ヘッド」及び「第４の液滴吐出ヘッド」に相当する。
　そして，引用発明では，「ヘッドユニット１６は，青色のフィルタ材インクを発射するインクジェットノズルが，基板の画素ピッチがＡのときに３・Ａの間隔で直列に配置され，ヘッドユニット１７は，赤色のフィルタ材インクを発射するインクジェットノズルが３・Ａの間隔で直列に配置され」，かつ，「ヘッドユニット１６，１７，１８のインクジェットノズルが行方向に１画素ピッチだけ位置をずらして設けられ」ているのであるから，行方向，すなわち本願発明における「第１の方向」に複数のインクジェットノズルが配列されていることは明らかである（図６からも見て取れる事項である）。
　したがって，引用発明の「（第１のカラーヘッド１９ａに設けられた）ヘッドユニット１６」，「（第１のカラーヘッド１９ｂに設けられた）ヘッドユニット１６」，「（第１のカラーヘッド１９ａに設けられた）ヘッドユニット１７」及び「（第１のカラーヘッド１９ｂに設けられた）ヘッドユニット１７」は，本願発明の「第１の方向に複数のノズルが配列され、第１色の液状材料を吐出する第１の液滴吐出ヘッド」，「前記第１の方向に複数のノズルが配列され、前記第１色の液状材料を吐出する第２の液滴吐出ヘッド」，「前記第１の方向に複数のノズルが配列され、第２色の液状材料を吐出する第３の液滴吐出ヘッド」及び「前記第１の方向に複数のノズルが配列され、第２色の液状材料を吐出する第４の液滴吐出ヘッド」の要件を満たし，また，引用発明の「カラーフィルタ装置」は，本願発明の「液滴吐出装置」の「第１の方向に複数のノズルが配列され，第１色の液状材料を吐出する第１の液滴吐出ヘッドと，前記第１の方向に複数のノズルが配列され，前記第１色の液状材料を吐出する第２の液滴吐出ヘッドと，前記第１の方向に複数のノズルが配列され，第２色の液状材料を吐出する第３の液滴吐出ヘッドと，前記第１の方向に複数のノズルが配列され，第２色の液状材料を吐出する第４の液滴吐出ヘッドと，を有し」との要件を満たす。
　ウ　等間隔で吐出される配置
　本願発明では，「第２の方向」は（ノズルが形成された平面内において）「第１の方向」に直交する方向を表すのであるから，引用発明の（インクジェットノズル」が形成された平面内において）「行方向」に直交する方向は，本願発明の「第２の方向」に相当する。
　引用発明において，「ヘッドユニット１６は，青色のフィルタ材インクを発射するインクジェットノズルが，基板の画素ピッチがＡのときに３・Ａの間隔で直列に配置され」，また，「第１のカラーヘッド１９ａのヘッドユニット１６のインクジェットノズルと第２のカラーヘッド１９ｂのヘッドユニット１６のインクジェットノズルとは，行方向に画素ピッチの１．５倍だけ位置をずらして配置され」ている。そうしてみると，引用発明の「第１のカラーヘッド１９ａに設けられたヘッドユニット１６」及び「第２のカラーヘッド１９ｂに設けられたヘッドユニット１６」は，行方向と直交する方向から見て，「第１のカラーヘッド１９ａに設けられたヘッドユニット１６」は，行方向と直交する方向から見て，「第１のカラーヘッド１９ａに設けられたヘッドユニット１６」の「インクジェットノズル」から発射された「青色のフィルタ剤インク」と「第２のカラーヘッド１９ｂに設けられたヘッドユニット１６」の「インクジェットノズル」から発射された「青色のフィルタ剤インク」とが画素ピッチの１．５倍の間隔で発射されるように配置されていることとなる。また，「ヘッドユニット１７」についても，同様のことがいえる。
　したがって，引用発明の「第１のカラーヘッド１９ａに設けられたヘッドユニット１６」及び「第２のカラーヘッド１９ｂに設けられたヘッドユニット１６」，並びに，「第１のカラーヘッド１９ａに設けられたヘッドユニット１７」及び「第２のカラーヘッド１９ｂに設けられたヘッドユニット１７」は，それぞれ，本願発明の「前記第１の液滴吐出ヘッドおよび前記第２の液滴吐出ヘッドは、前記第２の方向から見て、前記第１の液滴吐出ヘッドの前記ノズルから吐出された液滴と前記第２の液滴吐出ヘッドの前記ノズルから吐出された液滴とが等間隔で吐出されるように配置され」との要件，及び「前記第３の液滴吐出ヘッドおよび前記第４の液滴吐出ヘッドは、前記第２の方向から見て、前記第
３
４
　エ　液滴吐出ヘッドの端部の配置について
　引用発明において，「第１のカラーヘッド１９ａのヘッドユニット１６のインクジェットノズルと第２のカラーヘッド１９ｂのヘッドユニット１６のインクジェットノズルとは，行方向に画素ピッチの１．５倍だけ位置をずらして配置され」ている。したがって，引用発明の「第１のカラーヘッド１９ａのヘッドユニット１６」と「第２のカラーヘッド１９ｂのヘッドユニット１６」の配置は，本願発明の「前記第１の液滴吐出ヘッドと前記第２の液滴吐出ヘッドとは，前記第２の方向から見て各前記液滴吐出ヘッドのノズル列の端部がずれて配置され」るとの要件を満たす（図６からも見て取れる事項である）。
　同様に，引用発明の「第１のカラーヘッド１９ａのヘッドユニット１７」と「第２のカラーヘッド１９ｂのヘッドユニット１７」の配置は，本願発明の「前記第３の液滴吐出ヘッドと前記第４の液滴吐出ヘッドとは，前記第２の方向から見て各前記液滴吐出ヘッドのノズル列の端部がずれて配置され」るとの要件を満たす。
　オ　液滴吐出ヘッドの重なる部分の配置について
　引用例には，それぞれのヘッドユニットが全て同じ長さを有することは明記されていない。また，それぞれのヘッドノズルにおける，ノズル列の端部からヘッドユニットの端部まで長さが，全てのヘッドユニットにおいて同じであることも明記されていない。
　しかし，ノズル列の端部からヘッドユニットの端部まで長さをヘッドユニットごとに変える必然性は見当たらないことから，全てのヘッドユニットにおいて，ノズル列の端部からヘッドユニットの端部まで長さは同じであるものと認める（図６からも見て取れる事項である。）。
　また，引用発明はカラーフィルタ製造装置に関するものであるところ，製造するカラーフィルタの色ごとの画素数は同じであるから，ヘッドユニットごとのノズルの数は同じである。したがって，それぞれのヘッドユニットの長さもまた，全て同じ長さであると認める（図６からも読み取れる事項である。）。
　引用発明は「第１，第２のカラーヘッド１９ａ，１９ｂは，それぞれヘッドユニット１６，１７，１８で構成され，ヘッドユニット１６は，青色のフィルタ材インクを発射するインクジェットノズルが，基板の画素ピッチがＡのときに３・Ａの間隔で直列に配置され，ヘッドユニット１７は，赤色のフィルタ材インクを発射するインクジェットノズルが３・Ａの間隔で直列に配置され」る，すなわち，それぞれのヘッドユニットにおいては，インクジェットノズルの間隔は画素ピッチの３倍である。
　
　（ア）そして，「第１のカラーヘッド１９ａは，偶数行のフィルタエレメントの配置に適合するようにヘッドユニット１６，１７，１８のインクジェットノズルが行方向に１画素ピッチだけ位置をずらして設けられ」るのであるから，「第２のカラーヘッド１９ｂのヘッドユニット１７」は，
「第１のカラーヘッド１９ａのヘッドユニット１６」からみて
　（イ）また，引用発明では，「第１のカラーヘッド１９ａのヘッドユニット１６のインクジェットノズルと第２のカラーヘッド１９ｂのヘッドユニット１６のインクジェットノズルとは，行方向に画素ピッチの１．５倍だけ位置をずらして配置され」るのであるから，「第２のカラーヘッド１９ｂのヘッドユニット１６」は，
「第１のカラーヘッド１９ａのヘッドユニット１６」からみて
　（ウ）さらに，引用発明では，「第２のカラーヘッド１９ｂは，奇数行のフィルタエレメントの配置に適合するようにヘッドユニット１６，１７，１８のインクジェットノズルが行方向に１画素ピッチだけ位置をずらして設けられ」ているのであるから， 「第２のカラーヘッド１９ｂのヘッドユニット１７」は，
「第１のカラーヘッド１９ａのヘッドユニット１６」からみて
　
　上記（ア）〜（ウ）から明らかなように，「第１のカラーヘッド１９ａのヘッドユニット１６」，「第１のカラーヘッド１９ａのヘッドユニット１７」，「第２のカラーヘッド１９ｂのヘッドユニット１６」，「第２のカラーヘッド１９ｂのヘッドユニット１７」は，その端部が相互にずれて配置されている。したがって，引用発明の「第１のカラーヘッド１９ａのヘッドユニット１６」と「第２のカラーヘッド１９ｂのヘッドユニット１６」との重なる部分と，「第１のカラーヘッド１９ａのヘッドユニット１７」と「第２のカラーヘッド１９ｂのヘッドユニット１７」との重なる部分とは一致しないように配置されることとなる。
　してみれば，引用発明の「第１のカラーヘッド１９ａのヘッドユニット１６」，「第２のカラーヘッド１９ｂのヘッドユニット１６」，「第１のカラーヘッド１９ａのヘッドユニット１７」及び「第２のカラーヘッド１９ｂのヘッドユニット１７」は，本願発明の「前記第２の方向から見て前記第１の液滴吐出ヘッドと前記第２の液滴吐出ヘッドとの重なる部分と，前記第３の液滴吐出ヘッドと前記第４の液滴吐出ヘッドとの重なる部分とは一致しないように配置されている」との要件を満たす（このことは，図６からも見て取れる事項である）。
　(2) 一致点
　前記２(1)を踏まえると，本願発明と引用発明とは，以下の点で一致する。
「　基体と液滴吐出ヘッドとの少なくとも一方を位置変更し、前記基体に対して液状材料を吐出する液滴吐出装置であって、
　第１の方向に複数のノズルが配列され、第１色の液状材料を吐出する第１の液滴吐出ヘッドと、
　前記第１の方向に複数のノズルが配列され、前記第１色の液状材料を吐出する第２の液滴吐出ヘッドと、
　前記第１の方向に複数のノズルが配列され、第２色の液状材料を吐出する第３の液滴吐出ヘッドと、
　前記第１の方向に複数のノズルが配列され、第２色の液状材料を吐出する第４の液滴吐出ヘッドと、
を有し、
　前記第１の液滴吐出ヘッドおよび前記第２の液滴吐出ヘッドは、前記第２の方向から見て、前記第１の液滴吐出ヘッドの前記ノズルから吐出された液滴と前記第２の液滴吐出ヘッドの前記ノズルから吐出された液滴とが等間隔で吐出されるように配置され、
　前記第３の液滴吐出ヘッドおよび前記第４の液滴吐出ヘッドは、前記第１の方向と直交する第２の方向から見て、前記第１の液滴吐出ヘッドの前記ノズルから吐出された液滴と前記第２の液滴吐出ヘッドの前記ノズルから吐出された液滴とが等間隔で吐出されるように配置され、
　前記第１の液滴吐出ヘッドと前記第２の液滴吐出ヘッドとは、前記第２の方向から見て各前記液滴吐出ヘッドのノズル列の端部がずれて配置され、
　前記第３の液滴吐出ヘッドと前記第４の液滴吐出ヘッドとは、前記第２の方向から見て各前記液滴吐出ヘッドのノズル列の端部がずれて配置され、
　前記第２の方向から見て前記第１の液滴吐出ヘッドと前記第２の液滴吐出ヘッドとの重なる部分と、前記第３の液滴吐出ヘッドと前記第４の液滴吐出ヘッドとの重なる部分とは一致しないように配置されていることを特徴とする液滴吐出装置。」
　(3) 相違点
　本願発明と引用発明は，以下の点において，一応相違する。
　本願発明は，「一方向へ前記位置変更を行うとき、前記第１の方向と直交する第２の方向から見て、前記第１の液滴吐出ヘッドにて吐出される領域、前記第２の液滴吐出ヘッドにて吐出される領域、前記第３の液滴吐出ヘッドにて吐出される領域、および、前記第４の液滴吐出ヘッドにて吐出される領域が、重なる部分を有するように、前記第１の液滴吐出ヘッド、前記第２の液滴吐出ヘッド、前記第３の液滴吐出ヘッド、および、前記第４の液滴吐出ヘッドが配置され」るのに対し，引用発明では，この点が明記されていない点。
　(4) 判断
　前記相違点に係る構成は，「一方向へ前記位置変更を行うとき，前記第１の方向と直交する第２の方向から見て，前記第１の液滴吐出ヘッドにて吐出される領域，前記第２の液滴吐出ヘッドにて吐出される領域，前記第３の液滴吐出ヘッドにて吐出される領域，および，前記第４の液滴吐出ヘッドにて吐出される領域が，重なる部分を有するように」という記載によって，本願発明の第１〜４の液滴吐出ヘッドの配置を特定したものである。
　そこで，「液滴吐出ヘッドにて吐出される領域」に関して，本件出願の発明の詳細な説明を参酌すると，段落【０００３】には，「１個の液滴吐出ヘッドには，多数のノズル（ノズル孔）が並んで形成されており，ノズル列を構成しているが，ぞのノズル列の長さは基板の大きさと比べると短いので，１回の走査によって液滴を吐出する領域の幅（描画する幅）を長くするために，ヘッドユニットには複数の液滴吐出ヘッドがそれらのノズル列が走査方向から見てつながるようにして設置されている。」と記載されている。また，発明の詳細な説明には，「液滴吐出ヘッドにて吐出される領域」に関して，これ以外の記載は存在しない。なお，段落【００４１】の記載は，画素１８Ｒ，画素１８Ｂ及び画素１８Ｇが形成されるべき領域に関する記載であり，これら画素が形成されるべき領域が「重なる部分を有する」ことはないから，段落【００４１】の記載は，「液滴吐出ヘッドにて吐出される領域」に関する記載ではない（段落【００８３】の記載も同様である）。
　そうしてみると，本願発明の「液滴吐出ヘッドにて吐出される領域」とは，「液滴吐出ヘッドが描画する，ノズル列の長さ方向（第１の方向）に幅を有する領域」のこと，例えば，図８の符号２１Ｒが示す細長い図形（符号２６が示す両端を除く）のことを意味すると解するのが相当である。
　次に，「一方向へ前記位置変更を行うとき，前記第１の方向と直交する第２の方向からみて・・・重なる部分を有するように」に関して，本件出願の発明の詳細な説明を参酌すると，段落【００７３】には，長尺ノズル列（第１の方向につながる２個の液滴吐出ヘッド）に関する記載であるものの，「このようなヘッドユニット１０３では，赤色の液状材料１１１Ｒを吐出するヘッド列３１Ｒ，３２Ｒにより形成される長尺ノズル列と，緑色の液状材料１１１Ｇを吐出するヘッド列３１Ｇ，３２Ｇにより形成される長尺ノズル列と，青色の液状材料１１１Ｂを吐出するヘッド列３１Ｂ，３２Ｂにより形成される長尺ノズル列とは，
Ｙ軸方向から見て重なるように配置されている
ヘッドユニット１０３と基体１０Ａとを主走査することによって，全吐出幅Ｗの範囲では，画素１８Ｒ，１８Ｇ，１８Ｂに対して一度に赤，緑，青の各色の液状材料１１１Ｒ，１１１Ｇ，１１１Ｂを付与することができる
　そうしてみると，前記相違点に係る構成は，「一方向（Ｙ方向）へ位置変更を行うとき，第２の方向（Ｙ方向）からみて，第１〜第４の液滴吐出ヘッドが描画する，ノズル列の長さ方向（第１の方向）に幅を有する領域が重なる部分を有するように（例えば，図８のＲ1の幅の領域を有するように），第１〜第４の液滴吐出ヘッドが位置されている」ことを意味すると解するのが相当である。
　ところで，引用発明の「カラーフィルタ製造装置」は，「基板を，２つのカラーヘッドの下方を片道通過させ」るものであるところ，引用発明の「第１，第２のカラーヘッド１９ａ，１９ｂは，それぞれヘッドユニット１６，１７，１８で構成され，ヘッドユニット１６は，青色のフィルタ材インクを発射するインクヘッドノズルが基板の画素ピッチがＡのときに３・Ａの間隔で直列に配置され，ヘッドユニット１７は，赤色のフィルタ材インクを発射するインクジェットノズルが３・Ａの間隔で直列に配置され，ヘッドユニット１８は，緑色のフィルタ材インクを発射するインクジェットノズルが３・Ａの間隔で直列に配置され」ている。
　そうしてみると，引用発明の「第１のカラーヘッド１９ａのヘッドユニット１６」，「第２のカラーヘッド１９ｂのヘッドユニット１６」，「第１のカラーヘッド１９ａのヘッドユニット１７」及び「第２のカラーヘッド１９ｂのヘッドユニット１７」は，基板とインクジェット式カラーヘッドが相対移動するとき，行方向と直交する方向から見て，第１のカラーヘッド１９ａのヘッドユニット１６が描画する，行方向に幅を有する領域，第２のカラーヘッド１９ｂのヘッドユニット１６が描画する，行方向に幅を有する領域，第１のカラーヘッド１９ａのヘッドユニット１７が描画する，行方向に幅を有する領域及び第２のカラーヘッド１９ｂのヘッドユニット１７が描画する，行方向に幅を有する領域が重なる部分を有するように，「第１のカラーヘッド１９ａのヘッドユニット１６」，「第２のカラーヘッド１９ｂのヘッドユニット１６」，「第１のカラーヘッド１９ａのヘッドユニット１７」及び「第２のカラーヘッド１９ｂのヘッドユニット１７」が配置されているといえる。
　したがって，前記相違点は，実質的にみて相違点ではない。
　なお，本件出願の発明の詳細な説明の段落【００５１】には，例えば，として，「第１ヘッド２１Ｒのノズル列と第３ヘッド２３Ｒのノズル列とが重なり合っている図８中のＲ1で示す範囲によって液滴を吐出される画素１８Ｒの場合には，図３に示すように，第１ヘッド２１Ｒのノズル２５から吐出された液滴９１と，第３ヘッド２３Ｒのノズル２５から吐出された液滴９２とが付与される。」と記載され，また，発明の詳細な説明には記載がないけれども，図３からは，「液滴９１が付与された範囲と液滴９２が付与された範囲とが重なる部分を有する」構成と整合する構成が，一応，見て取れる。　しかしながら，このような構成は，付与された（着弾した）後の液滴の範囲に関する構成であり，液滴吐出装置の構成の一部をなすものではない。また，図３からは，「液滴９１が付与された範囲と液滴９２が付与された範囲とが重なる部分を有する」構成を達成可能な液滴吐出ヘッドのノズル孔の位置関係の構成が，一応，見て取れるけれども，特許請求の範囲に記載された前記相違点に係る構成は，液滴吐出ヘッドの配置に関する構成であって，液滴吐出ヘッドのノズル孔の位置関係に関する構成ではない。特許請求の範囲にはノズル孔の位置関係に関する記載が一切存在しないから，特許請求の範囲の記載を離れてノズル孔の位置関係の構成を含めて本願理解をすることは許されない。
　あるいは，一般に，液状材料を（インクジェット方式によって）吐出する場合，用いる液状材料や基板の種類，吐出条件等によって吐出された液滴の広がりが変化することは，本件出願の優先権主張の日前における技術常識である。一方で本願発明は，その請求項の末尾の記載からも明らかなように，「液滴吐出装置」の発明であって，液滴吐出ヘッドの位置関係については特定されているものの，ノズル孔の位置関係，液状材料や基板の種類，吐出条件等については一切特定されていない。
　したがって，上記のように仮定しても，実質的にみて，本願発明は引用発明と同一である。
　(5) 審判請求書における請求人の主張
　審判請求人は，審判請求書において，以下のように主張している。
「（３）本願発明と引用文献との対比 
 　本願の請求項１に係る液滴吐出装置は、「前記第１の液滴吐出ヘッドおよび前記第２の液滴吐出ヘッドは、前記第２の方向から見て、前記第１の液滴吐出ヘッドの前記ノズルから吐出された液滴と前記第２の液滴吐出ヘッドの前記ノズルから吐出された液滴とが等間隔で吐出されるように配置され、前記第３の液滴吐出ヘッドおよび前記第４の液滴吐出ヘッドは、前記第２の方向から見て、前記第１の液滴吐出ヘッドの前記ノズルから吐出された液滴と前記第２の液滴吐出ヘッドの前記ノズルから吐出された液滴とが等間隔で吐出されるように配置され、前記第２の方向から見て前記第１の液滴吐出ヘッドと前記第２の液滴吐出ヘッドとの重なる部分と、前記第３の液滴吐出ヘッドと前記第４の液滴吐出ヘッドとの重なる部分とは一致しないように配置されていること」を特徴としております。　これにより、出願当初の明細書の段落［００７５］に記載されておりますように、第１色の筋ムラと第２色の筋ムラが分散されることにより、全体的に当該筋ムラを目立たなくすることができます。 
 　引用文献１及び２には上記の特徴については記載も示唆もないと思料いたします。したがって、本願請求項１における上記の効果を奏することまでは当業者は想起できないと思料いたします。以上のことから、請求項１はいわゆる進歩性を有すると思料いたしますので、拒絶理由１及び２は解消されました。 」
　しかし，上記２(1)〜(4)で検討したように，本願発明と引用発明との間に，構成上の差異はない。そして，請求人も，構成上の差異については，具体的に主張していない。
　請求人は，本願発明と引用発明との作用効果の相違について主張しているものとも考えられる。しかし，構成が同一であれば，同一の作用効果を奏することは明らかであるから，作用効果に関して，本願発明と引用発明との間に相違がないことは明らかである。
　なお，請求人は，本願明細書の発明の詳細な説明の段落【００７５】を根拠として，本願発明の作用効果を主張している。しかし，段落【００７５】は，段落【００７４】を前提とするものである。ここで，段落【００７４】及び段落【００７５】を摘記する（なお，下線は当審が付したものである。）。
　「【００７４】液滴吐出装置１では，赤色の液状材料１１１Ｒを吐出するヘッド列３１Ｒ，３２Ｒにおける
ノズル列の継ぎ目ｒ１，ｒ２
ノズル列の継ぎ目ｇ１，ｇ２
ノズル列の継ぎ目ｂ１，ｂ２
それらの位置がＹ軸方向から見て互いに一致しないように配置されている。
これにより，
赤色の画素１８Ｒに発生する筋ムラと，緑色の画素１８Ｇに発生する筋ムラと，青色の画素１８Ｂに発生する筋ムラとを別々の位置に分散させることができるので，筋ムラが目立つのをより確実に防止することができる
　本願発明は，（本件出願の一部を新たな特許出願とした特願２０１４−２６１９１４号の平成２７年１月２２日付け手続補正書に記載された請求項１に係る発明のように，ノズル列の「継ぎ目」を発明特定事項として含むものとは異なり）ノズル列の継ぎ目は発明特定事項に含まれていないのであるから，ノズル列の継ぎ目について説明されている段落【００７５】の記載を持ち出して本願発明の作用効果を主張すること自体が失当である。また仮に，本願発明が何らかの作用効果を奏するものであるとしても，本願発明と引用発明との構成が同一である以上，引用発明においても同様の作用効果が奏されることは，既に検討したとおりである。
　第３　まとめ
　以上のとおり，本願発明は，原出願の出願前に日本国内又は外国において頒布された引用例に記載された発明であるから，特許法２９条１項３号に該当し，特許を受けることができない。
　したがって，他の請求項に係る発明について審理するまでもなく，本願は拒絶すべきものである。
　よって，結論のとおり審決する。